(57)【要約】【課題】白色を表示する画面の部分の面積に応じてバックライトの輝度を変化させ、特に白を表示する画像の部分に輝き感を与えることを可能とするカラー液晶表示装置組立体の駆動方法を提供する。【解決手段】本発明の駆動方法にあっては、（１）カラー液晶表示装置を構成する各画素における赤色発光副画素、緑色発光副画素、及び、青色発光副画素のそれぞれに供給される発光制御信号の値（ＸR，ＸG，ＸB）の最大値の平均値が或る割合以上であり、（２）１つの画素に供給される３種類の発光制御信号の値（ＸR，ＸG，ＸB）の全てが或る値以上であるような白色表示画素の数が、或る割合の範囲内にあり、（３）白色表示画素の集合体が或る値以上の大きさを有し、（４）輝度増加表示領域ユニットに対応する輝度増加面状光源ユニットの数が、或る値以下である、といった条件を満足する面状光源ユニットのみ、その輝度を増加させる。【選択図】  図１
2007187974.tif 000002
【特許請求の範囲】
【請求項１】
（ａ）第１の方向に沿ってＭ0個、第２の方向に沿ってＮ0個の、合計Ｍ0×Ｎ0個の画素が２次元マトリクス状に配列された表示領域がＰ×Ｑ個の表示領域ユニットに分割されて成り、各表示領域ユニットは複数の画素から構成されているカラー液晶表示装置、
（ｂ）Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（ｃ）カラー液晶表示装置及び面状光源装置を駆動するための駆動回路、
を備え、
各画素は、赤色発光副画素、緑色発光副画素、及び、青色発光副画素の３つの副画素を１組として構成され、
駆動回路から、各画素を構成する赤色発光副画素、緑色発光副画素、及び、青色発光副画素のそれぞれに、赤色発光副画素の光透過率を制御する赤色発光制御信号、緑色発光副画素の光透過率を制御する緑色発光制御信号、及び、青色発光副画素の光透過率を制御する青色発光制御信号を供給する、カラー液晶表示装置組立体の駆動方法であって、
画素に供給される赤色発光制御信号、緑色発光制御信号、及び、青色発光制御信号の最大値をＸmaxとしたとき、
（Ａ）カラー液晶表示装置を構成する各画素における赤色発光副画素、緑色発光副画素、及び、青色発光副画素のそれぞれに供給される、赤色発光制御信号の値をＸR、緑色発光制御信号の値をＸG、及び、青色発光制御信号の値をＸBとし、１つの画素に供給される該３種類の発光制御信号の値（ＸR，ＸG，ＸB）の内の最大値をＭａｘ［ＸR，ＸG，ＸB］で表したとき、全ての画素におけるＭａｘ［ＸR，ＸG，ＸB］の平均値ＡｖｅMAX［ＸR，ＸG，ＸB］が、
ＡｖｅMAX［ＸR，ＸG，ＸB］≦ａ0・Ｘmax    （１）
（ここで、ａ0は定数）
を満足するか否かを調べ、式（１）を満足する場合、次いで、
（Ｂ）１つの画素に供給される前記３種類の発光制御信号の値（ＸR，ＸG，ＸB）が、
ＸR≧ｋ1・Ｘmax    （２−１）
ＸG≧ｋ1・Ｘmax    （２−２）
ＸB≧ｋ1・Ｘmax    （２−３）
（但し、ｋ1は、０．９０≦ｋ1≦０．９９の範囲内の係数）
を満足する画素が、白色表示画素として存在する場合、係る白色表示画素の数をＮＣとしたとき、
ａ1×Ｍ0×Ｎ0≦ＮＣ≦ａ2×Ｍ0×Ｎ0    （３）
（ここで、ａ1，ａ2は定数）
を満足するか否かを調べ、式（３）を満足する場合、次いで、
（Ｃ）白色表示画素が第１の方向に沿ってａM×Ｍ0個（ここで、ａMは定数）以上連続して存在するか否かを調べ、且つ、白色表示画素が第２の方向に沿ってａN×Ｎ0個（ここで、ａNは定数）以上連続して存在するか否かを調べ、存在する場合、これらの白色表示画素が含まれる表示領域ユニットを輝度増加表示領域ユニットとし、次いで、
（Ｄ）輝度増加表示領域ユニットに対応する面状光源ユニットの数をＮＢとしたとき、
ＮＢ≦ａ3×Ｐ×Ｑ    （４）
（ここで、ａ3は定数）
を満足するか否かを調べ、式（４）を満足する場合、次いで、
（Ｅ）輝度増加表示領域ユニットに対応する面状光源ユニットの輝度を増加させる、
各工程から成ることを特徴とするカラー液晶表示装置組立体の駆動方法。
【請求項２】
前記工程（Ｅ）において輝度増加表示領域ユニットに対応する面状光源ユニットの輝度を増加させる場合、該輝度増加表示領域ユニットを構成する各画素における前記３種類の発光制御信号の値の平均値（ＸR＋ＸG＋ＸB）／３を該輝度増加表示領域ユニットを構成する全ての画素において求め、３種類の発光制御信号の値の平均値の最大値をＸave_maxとしたとき、
Ｘ（Ｕ）max＝Ｘave_max＋ｋ0・Ｘmax    （５）
（但し、ｋ0は、０．０６≦ｋ0≦０．３の範囲内の係数）
に相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、前記工程（Ｅ）において輝度増加表示領域ユニットに対応する面状光源ユニットの輝度を増加させることを特徴とする請求項１に記載のカラー液晶表示装置組立体の駆動方法。
【請求項３】
面状光源ユニットは発光ダイオードから成り、
面状光源ユニットの輝度の増減を、面状光源ユニットを構成する発光ダイオードのパルス幅変調制御におけるデューティ期間の長短制御によって行うことを特徴とする請求項２に記載のカラー液晶表示装置組立体の駆動方法。
【請求項４】
Ｘ（Ｕ）max＝（１＋ｋ0）Ｘmax    （６）
に相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ0は、最大デューティ期間をＤmaxとしたとき、
Ｄ0＝α0・Ｄmax    （７）
（但し、α0は、０．９５≦α0≦１．０の範囲内の係数）
であることを特徴とする請求項３に記載のカラー液晶表示装置組立体の駆動方法。
【請求項５】
ｋ1・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ1は、最大デューティ期間をＤmaxとしたとき、
Ｄ1＝α1・Ｄmax    （８）
（但し、α1は、０．３≦α1≦０．８の範囲内の係数）
を満足することを特徴とする請求項３に記載のカラー液晶表示装置組立体の駆動方法。
【請求項６】
前記工程（Ｅ）において輝度増加面状光源ユニット以外の面状光源ユニットに対応する非輝度増加表示領域ユニットにおいては、各該非輝度増加表示領域ユニットを構成する全ての画素における赤色発光副画素、緑色発光副画素、及び、青色発光副画素に供給される赤色発光制御信号、緑色発光制御信号、及び、青色発光制御信号の内の最大値をＸ’（Ｕ）maxとしたとき、係るＸ’（Ｕ）maxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、該非輝度増加表示領域ユニットに対応する面状光源ユニットの輝度を増減することを特徴とする請求項１に記載のカラー液晶表示装置組立体の駆動方法。
【請求項７】
面状光源ユニットは発光ダイオードから成り、
面状光源ユニットの輝度の増減を、面状光源ユニットを構成する発光ダイオードのパルス幅変調制御におけるデューティ期間の長短制御によって行うことを特徴とする請求項６に記載のカラー液晶表示装置組立体の駆動方法。
【請求項８】
前記工程（Ｅ）において輝度増加面状光源ユニット以外の面状光源ユニットに対応する非輝度増加表示領域ユニットにおいては、
Ｘ’（Ｕ）max≦ｋ2・Ｘmax    （９）
（但し、ｋ2は、０．１≦ｋ2≦０．２の範囲内の係数）
である場合、ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、該非輝度増加表示領域ユニットに対応する面状光源ユニットの輝度を制御することを特徴とする請求項７に記載のカラー液晶表示装置組立体の駆動方法。
【請求項９】
ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ2は、最大デューティ期間をＤmaxとしたとき、
Ｄ2＝α2・Ｄmax    （１０）
（但し、α2は、０．０１≦α2≦０．２の範囲内の係数）
を満足することを特徴とする請求項８に記載のカラー液晶表示装置組立体の駆動方法。
【発明の詳細な説明】
【技術分野】
【０００１】
本発明は、カラー液晶表示装置と面状光源装置とを備えたカラー液晶表示装置組立体の駆動方法に関する。
【背景技術】
【０００２】
カラー液晶表示装置にあっては、液晶それ自体は発光しない。従って、例えば、カラー液晶表示装置を照射する直下型の面状光源装置（バックライト）をカラー液晶表示装置の背面に配置する。そして、各画素を構成する液晶セルを、一種の光シャッター（ライト・バルブ）として動作させることによって、即ち、各画素の光透過率を制御することによって、面状光源装置から射出された光（例えば、白色光）の光透過率を制御し、画像を表示している。
【０００３】
従来、カラー液晶表示装置組立体における面状光源装置は、表示領域全体を、均一、且つ、一定の明るさで照明しているが、このような面状光源装置とは別の構成、即ち、複数の面状光源ユニットから構成され、カラー液晶表示装置の有する２次元マトリクス状に配列された画素から構成された表示領域における照度の分布を変化させる構成を有する面状光源装置が、例えば、特開２００４−２１２５０３や特開２００４−２４６１１７から周知である。
【０００４】
また、２００５（平成１７）年５月、（財）光産業技術振興協会、２００４ＦＹ−００３−１  光技術動向調査報告書の第３１３頁に記載されているように、従来の陰極線管を有するテレビジョン受像器やプラズマ表示装置においては、負荷率に制限を与えるために、自動ビーム制限回路（Auto Beam Limit 回路、ＡＢＬ回路）や自動パワー制限回路（Auto Power Limit 回路、ＡＰＬ回路）を設け、全画面が白色表示の場合には、電力の過大増加やデバイス寿命への悪影響を防ぐために輝度を下げている。これによって、逆に、白色を表示する画面の面積が小さければ、全画面が白色表示の場合と比べて白色を表示する画面の部分の輝度が相対的に増加されるといった効果があり、画像に輝き感をもたらす。放送波等にあっては、このようなテレビジョン受像器やプラズマ表示装置の特性を前提に絵作り（映像信号の生成）をしている。従って、放送波に搬送される映像信号においては、白色を表示する画面の部分の輝度が高め（ＲＧＢ値が大きめ）になるように設定されている。
【０００５】
【特許文献１】特開２００４−２１２５０３
【特許文献２】特開２００４−２４６１１７
【非特許文献１】２００５（平成１７）年５月、（財）光産業技術振興協会、２００４ＦＹ−００３−１  光技術動向調査報告書の第３１３頁（http://www.oitda.or.jp/main/technology/technology2004.html 参照）
【非特許文献２】日経エレクトロニクス  ２００４年１２月２０日第８８９号の第１２８ページ
【発明の開示】
【発明が解決しようとする課題】
【０００６】
ところで、現行のカラー液晶表示装置には、上述したＡＢＬ回路やＡＰＬ回路は設けられていない。従って、通常、放送波に搬送される映像信号をそのまま再生するが故に、白色を表示する画面の部分の面積が小さいときでも大きいときでも、カラー液晶表示装置における輝度は同じであり、特に白色の画像の部分に輝き感がないといった問題がある。
【０００７】
従って、本発明の目的は、白色を表示する画面の部分の面積に応じて直下型の面状光源装置（バックライト）の輝度を変化させ、特に白を表示する画像の部分に輝き感を与えることを可能とするカラー液晶表示装置組立体の駆動方法を提供することにある。
【課題を解決するための手段】
【０００８】
上記の目的を達成するための本発明のカラー液晶表示装置組立体の駆動方法は、
（ａ）第１の方向に沿ってＭ0個、第２の方向に沿ってＮ0個の、合計Ｍ0×Ｎ0個の画素が２次元マトリクス状に配列された表示領域がＰ×Ｑ個の表示領域ユニットに分割されて成り、各表示領域ユニットは複数の画素から構成されているカラー液晶表示装置、
（ｂ）Ｐ×Ｑ個の表示領域ユニットに対応したＰ×Ｑ個の面状光源ユニットから成り、各面状光源ユニットは、該面状光源ユニットに対応する表示領域ユニットを背面から照明する面状光源装置、並びに、
（ｃ）カラー液晶表示装置及び面状光源装置を駆動するための駆動回路、
を備え、
各画素は、赤色発光副画素、緑色発光副画素、及び、青色発光副画素の３つの副画素を１組として構成され、
駆動回路から、各画素を構成する赤色発光副画素、緑色発光副画素、及び、青色発光副画素のそれぞれに、赤色発光副画素の光透過率を制御する赤色発光制御信号、緑色発光副画素の光透過率を制御する緑色発光制御信号、及び、青色発光副画素の光透過率を制御する青色発光制御信号を供給する、カラー液晶表示装置組立体の駆動方法であって、
画素に供給される赤色発光制御信号、緑色発光制御信号、及び、青色発光制御信号の最大値をＸmaxとしたとき、
（Ａ）カラー液晶表示装置を構成する各画素における赤色発光副画素、緑色発光副画素、及び、青色発光副画素のそれぞれに供給される、赤色発光制御信号の値をＸR、緑色発光制御信号の値をＸG、及び、青色発光制御信号の値をＸBとし、１つの画素に供給される該３種類の発光制御信号の値（ＸR，ＸG，ＸB）の内の最大値をＭａｘ［ＸR，ＸG，ＸB］で表したとき、全ての画素におけるＭａｘ［ＸR，ＸG，ＸB］の平均値ＡｖｅMAX［ＸR，ＸG，ＸB］が、
ＡｖｅMAX［ＸR，ＸG，ＸB］≦ａ0・Ｘmax    （１）
（ここで、ａ0は定数）
を満足するか否かを調べ、式（１）を満足する場合、次いで、
（Ｂ）１つの画素に供給される前記３種類の発光制御信号の値（ＸR，ＸG，ＸB）が、
ＸR≧ｋ1・Ｘmax    （２−１）
ＸG≧ｋ1・Ｘmax    （２−２）
ＸB≧ｋ1・Ｘmax    （２−３）
（但し、ｋ1は、０．９０≦ｋ1≦０．９９の範囲内の係数）
を満足する画素が、白色表示画素として存在する場合、係る白色表示画素の数をＮＣとしたとき、
ａ1×Ｍ0×Ｎ0≦ＮＣ≦ａ2×Ｍ0×Ｎ0    （３）
（ここで、ａ1，ａ2は定数）
を満足するか否かを調べ、式（３）を満足する場合、次いで、
（Ｃ）白色表示画素が第１の方向に沿ってａM×Ｍ0個（ここで、ａMは定数）以上連続して存在するか否かを調べ、且つ、白色表示画素が第２の方向に沿ってａN×Ｎ0個（ここで、ａNは定数）以上連続して存在するか否かを調べ、存在する場合、これらの白色表示画素が含まれる表示領域ユニットを輝度増加表示領域ユニットとし、次いで、
（Ｄ）輝度増加表示領域ユニットに対応する面状光源ユニットの数をＮＢとしたとき、
ＮＢ≦ａ3×Ｐ×Ｑ    （４）
（ここで、ａ3は定数）
を満足するか否かを調べ、式（４）を満足する場合、次いで、
（Ｅ）輝度増加表示領域ユニットに対応する面状光源ユニットの輝度を増加させる、
各工程から成ることを特徴とする。
【０００９】
ここで、
ａ0の値として、０．６≦ａ0≦０．８の範囲内のいずれかの値
ａ1の値として、０≦ａ1≦０．０２の範囲内のいずれかの値
ａ2の値として、０．０５≦ａ2≦０．１の範囲内のいずれかの値
ａ3の値として、０．０５≦ａ3≦０．１の範囲内のいずれかの値
ａMの値として、０．０５≦ａM≦０．１の範囲内のいずれかの値
ａNの値として、０．０５≦ａN≦０．１の範囲内のいずれかの値
を例示することができる。
【００１０】
また、工程（Ｃ）において、白色表示画素が第１の方向に沿ってａM×Ｍ0個以上連続して存在するか否かを調べるが、ここで、「連続して」とは、ａM×Ｍ0個の全てが白色表示画素である場合だけでなく、例えば、βM×ａM×Ｍ0個（但し、βM＞１であり、例えば、βM＝１．１）の連続する画素中に、ａM×Ｍ0個の白色表示画素が存在する場合を含む。また、白色表示画素が第２の方向に沿ってａN×Ｎ0個以上連続して存在するか否かを調べるが、ここで、「連続して」とは、ａN×Ｎ0個の全てが白色表示画素である場合だけでなく、例えば、βN×ａN×Ｎ0個（但し、βN＞１であり、例えば、βN＝１．１）の連続する画素中に、ａN×Ｎ0個の白色表示画素が存在する場合を含む。
【００１１】
本発明のカラー液晶表示装置組立体の駆動方法にあっては、前記工程（Ｅ）において輝度増加表示領域ユニットに対応する面状光源ユニット（輝度増加面状光源ユニット）の輝度を増加させる場合、該輝度増加表示領域ユニットを構成する各画素における前記３種類の発光制御信号の値の平均値（ＸR＋ＸG＋ＸB）／３を該輝度増加表示領域ユニットを構成する全ての画素において求め、３種類の発光制御信号の値の平均値の最大値をＸave_maxとしたとき、
Ｘ（Ｕ）max＝Ｘave_max＋ｋ0・Ｘmax    （５）
（但し、ｋ0は、０．０６≦ｋ0≦０．３の範囲内の係数）
に相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、前記工程（Ｅ）において輝度増加表示領域ユニットに対応する面状光源ユニット（輝度増加面状光源ユニット）の輝度を増加させる形態とすることができる。尚、このような形態を、便宜上、本発明の第１の形態に係る駆動方法と呼ぶ場合がある。
【００１２】
このような本発明の第１の形態に係る駆動方法にあっては、輝度増加表示領域ユニットを構成する各白色表示画素［赤色発光副画素、緑色発光副画素、及び、青色発光副画素のそれぞれに供給される発光制御信号の値（ＸR，ＸG，ＸB）のいずれもが、画素に供給される発光制御信号の最大値Ｘmaxのｋ1倍（ｋ1＜１）の値である上限閾値（ｋ1・Ｘmax）以上である画素］の副画素のそれぞれに、３つの発光制御信号の値（ＸR，ＸG，ＸB）の平均値にバイアス（ｋ0・Ｘmax）を加えた値に相当する信号値を有する発光制御信号が供給されたと想定したときの画素の輝度が得られるように、輝度増加表示領域ユニットに対応する輝度増加面状光源ユニットの輝度を増加させるので、係る白色表示画素が連続して或る面積を占める輝度増加表示領域ユニットの輝度レベルを、他の表示領域ユニット（非輝度増加表示領域ユニット）の輝度レベルよりも上げることができ、陰極線管の白の輝きに類似した白の輝きを一層確実に達成することができる。
【００１３】
ここで、本発明の第１の形態に係る駆動方法にあっては、面状光源ユニットは発光ダイオード（ＬＥＤ）から成り、面状光源ユニットの輝度の増減を、面状光源ユニットを構成する発光ダイオードのパルス幅変調制御におけるデューティ期間の長短制御によって行う構成とすることができる。そして、この場合、
Ｘ（Ｕ）max＝（１＋ｋ0）Ｘmax    （６）
に相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ0は、最大デューティ期間をＤmaxとしたとき、
Ｄ0＝α0・Ｄmax    （７）
（但し、α0は、０．９５≦α0≦１．０の範囲内の係数）
であることが望ましい。また、ｋ1・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ1は、最大デューティ期間をＤmaxとしたとき、
Ｄ1＝α1・Ｄmax    （８）
（但し、α1は、０．３≦α1≦０．８の範囲内の係数）
を満足することが望ましい。
【００１４】
上記の好ましい構成、本発明の第１の形態に係る駆動方法を含む本発明のカラー液晶表示装置組立体の駆動方法にあっては、前記工程（Ｅ）において輝度増加面状光源ユニット以外の面状光源ユニット（非輝度増加面状光源ユニット）に対応する非輝度増加表示領域ユニットにおいては、各該非輝度増加表示領域ユニットを構成する全ての画素における赤色発光副画素、緑色発光副画素、及び、青色発光副画素に供給される赤色発光制御信号、緑色発光制御信号、及び、青色発光制御信号の内の最大値をＸ’（Ｕ）maxとしたとき、係るＸ’（Ｕ）maxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、該非輝度増加表示領域ユニットに対応する面状光源ユニット（非輝度増加面状光源ユニット）の輝度を増減する形態とすることができる。尚、このような形態を、便宜上、本発明の第２の形態に係る駆動方法と呼ぶ場合がある。このような構成にした場合、γ（ガンマ）特性が所望の特性から若干逸脱し、画質が若干変化するが、実質的には問題は生じない。
【００１５】
このような本発明の第２の形態に係る駆動方法にあっては、非輝度増加面状光源ユニットのそれぞれにおいて、全ての画素における副画素に供給される発光制御信号の値（ＸR，ＸG，ＸB）の内の最大値Ｘ’（Ｕ）maxに相当する値を有する発光制御信号が、各副画素に供給されたと想定したときの画素の輝度が得られるように、非輝度増加表示領域ユニットに対応する非輝度増加面状光源ユニットの輝度を増減させるので、コントラスト比を一層向上させることが可能となる。
【００１６】
ここで、本発明の第２の形態に係る駆動方法にあっても、面状光源ユニットは発光ダイオード（ＬＥＤ）から成り、面状光源ユニットの輝度の増減を、面状光源ユニットを構成する発光ダイオードのパルス幅変調制御におけるデューティ期間の長短制御によって行う構成とすることができる。そして、この場合、前記工程（Ｅ）において輝度増加面状光源ユニット以外の面状光源ユニット（非輝度増加面状光源ユニット）に対応する非輝度増加表示領域ユニットにおいては、
Ｘ’（Ｕ）max≦ｋ2・Ｘmax    （９）
（但し、ｋ2は、０．１≦ｋ2≦０．２の範囲内の係数）
である場合、ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、該非輝度増加表示領域ユニットに対応する面状光源ユニット（非輝度増加面状光源ユニット）の輝度を制御することが好ましい。式（９）を設定するといった上述の構成にすることで、γ（ガンマ）特性を所望の特性に極力維持し、コントラスト比を増加させつつ、画質が変質することを回避することができる。尚、ｋ1とｋ2との関係として、
０．１≦ｋ2／ｋ1≦０．２２
を例示することができる。また、ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるようなデューティ期間Ｄ2は、最大デューティ期間をＤmaxとしたとき、
Ｄ2＝α2・Ｄmax    （１０）
（但し、α2は、０．０１≦α2≦０．２の範囲内の係数）
を満足することが望ましい。尚、カラー液晶表示装置それ自体のコントラスト比が１０3：１であるとき、α2＝０．２ならば、コントラスト比は５×１０3：１に改善されるし、α2＝０．０１ならば、コントラスト比は１０5：１に改善される。
【００１７】
以上に説明した種々の好ましい形態、構成を含む本発明のカラー液晶表示装置組立体の駆動方法（以下、単に、本発明と略称する場合がある）においては、種々の値ＸR，ＸG，ＸB（但し、ＸR＝ＸG＝ＸB）を有する赤色発光制御信号、緑色発光制御信号、及び、青色発光制御信号が、赤色発光副画素、緑色発光副画素、及び、青色発光副画素に実際に供給されたときの画素の輝度を得るための面状光源ユニットの輝度の値やデューティ期間の値を、種々の試験を行い、予め求めておく。そして、これらの関係に基づいた種々のデータを駆動回路内に記憶させておくことが望ましい。また、Ｘmax，ａ0，ａ1，ａ2，ａ3，ａM，ａN，ｋ0，ｋ1，ｋ2，α0，α1，α2，Ｄmax，Ｄ0，Ｄ1，Ｄ2といった種々のパラメータも、駆動回路内に記憶させておくことが望ましい。
【００１８】
面状光源装置にあっては、赤色（例えば、波長６４０ｎｍ）を発光する複数の赤色発光ダイオード、緑色（例えば、波長５３０ｎｍ）を発光する複数の緑色発光ダイオード、及び、青色（例えば、波長４５０ｎｍ）を発光する複数の青色発光ダイオードが、筐体内に配置、配列されている。尚、赤色、緑色、青色以外の第４番目の色を発光する発光ダイオードを更に備えていてもよい。あるいは又、白色発光ダイオード（例えば、紫外又は青色発光ダイオードと蛍光体粒子とを組み合わせて白色を発光する発光ダイオード）を用いることもできる。
【００１９】
そして、面状光源装置を構成する面状光源ユニットは、例えば、複数の発光ダイオードを仕切りで区分けすることで得ることができる。（１つの赤色発光ダイオード，１つの緑色発光ダイオード，１つの青色発光ダイオード）、（１つの赤色発光ダイオード，２つの緑色発光ダイオード，１つの青色発光ダイオード）、（２つの赤色発光ダイオード，２つの緑色発光ダイオード，１つの青色発光ダイオード）等の組合せから成り、全体として混色されて白色を発光する発光ダイオード・ユニットから面状光源ユニットが構成されていると想定した場合、１つの面状光源ユニットには、少なくとも１つの発光ダイオード・ユニットが備えられている。あるいは又、１つの面状光源ユニットには、少なくとも１つの白色発光ダイオードが備えられている。
【００２０】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に射出される構造としてもよいし、発光層からの光が基板を通過して外部に射出される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。
【００２１】
或る面状光源ユニットにおける輝度は、隣接する面状光源ユニットによって出来る限り影響を受けないようにすることが望ましい。具体的には、ランバーシアン方式のように、直進方向への光強度が強いレンズを発光ダイオードの光射出部分に取り付けてもよいし、面状光源ユニットと面状光源ユニットとの間に、面状光源ユニットの照明光に対して不透明な仕切りを配置してもよい。
【００２２】
発光ダイオードから射出される光を上方に位置するカラー液晶表示装置に直接入射させる構成とした場合、即ち、発光ダイオードから専らｚ軸方向に沿って光を射出させた場合、面状光源装置に輝度ムラが発生してしまう場合がある。このような現象の発生を回避するための手段として、発光ダイオードに光取出しレンズを取り付けた発光ダイオード組立体を光源として使用し、発光ダイオードから射出された光が、光取出しレンズの頂面において全反射され、光取出しレンズの水平方向に主に射出される２次元方向射出構成を挙げることができる。このような構成は、例えば、日経エレクトロニクス  ２００４年１２月２０日第８８９号の第１２８ページに開示されている。
【００２３】
更には、面状光源装置は、拡散板、拡散シート、プリズムシート、偏光変換シートといった光学機能シート群や、反射シートを備えている構成とすることができる。
【００２４】
透過型のカラー液晶表示装置は、例えば、透明第１電極を備えたフロント・パネル、透明第２電極を備えたリア・パネル、及び、フロント・パネルとリア・パネルとの間に配された液晶材料から成る。
【００２５】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、フロント・パネルは、第１の基板の内面に、アクリル樹脂やエポキシ樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００２６】
尚、透明第１電極と透明第２電極の重複領域であって液晶セルを含む領域が、１副画素（サブピクセル）に該当する。そして、各画素（ピクセル）を構成する赤色発光副画素は、係る領域と赤色を透過するカラーフィルターとの組合せから構成され、緑色発光副画素は、係る領域と緑色を透過するカラーフィルターとの組合せから構成され、青色発光副画素は、係る領域と青色を透過するカラーフィルターとの組合せから構成されている。赤色発光副画素、緑色発光副画素及び青色発光副画素に配置パターンは、上述したカラーフィルターの配置パターンと一致する。
【００２７】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｍ0，Ｎ0）の値と（Ｐ，Ｑ）の値との関係として、限定するものではないが、以下の表１に例示することができる。尚、１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【００２８】
2007187974.tif 000003
【００２９】
カラー液晶表示装置及び面状光源装置を駆動するための駆動回路は、例えば、パルス幅変調（ＰＷＭ）信号発生回路、デューティ比制御回路、発光ダイオード（ＬＥＤ）駆動回路、演算回路、記憶装置（メモリ）等から構成された面状光源装置制御回路、及び、タイミングコントローラ等の周知の回路から構成された液晶表示装置駆動回路を備えている。画素の輝度（表示輝度と呼ぶ場合がある）及び面状光源ユニットの輝度（光源ユニット輝度と呼ぶ場合がある）の制御は、１フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【発明の効果】
【００３０】
本発明にあっては、特定の条件、即ち、
（１）カラー液晶表示装置を構成する全ての画素におけるＭａｘ［ＸR，ＸG，ＸB］の平均値ＡｖｅMAX［ＸR，ＸG，ＸB］が或る割合以上である。
（２）１つの画素に供給される３種類の発光制御信号の値（ＸR，ＸG，ＸB）の全てが或る値以上であるような画素（白色表示画素）の数が、或る割合の範囲内にある。
（３）白色表示画素の集合体が或る値以上の大きさを有する。
（４）輝度増加表示領域ユニットに対応する輝度増加面状光源ユニットの数が、或る値以下である。
といった条件を満足する面状光源ユニットのみ、その輝度を増加させる。従って、白色を表示する画面の部分の面積が小さいとき、白色を表示する画面の部分の面積が大きいときよりも、カラー液晶表示装置における輝度が高く成り、特に白色の画像の部分に輝き感を与えることができる。
【発明を実施するための最良の形態】
【００３１】
以下、図面を参照して、実施例に基づき本発明を説明するが、それに先立ち、各実施例において使用に適した透過型のカラー液晶表示装置、面状光源装置、駆動回路の概要を説明する。
【００３２】
図１０に模式的な平面図を示すように、各実施例におけるカラー液晶表示装置１０は、第１の方向に沿ってＭ0個、第２の方向に沿ってＮ0個の、合計Ｍ0×Ｎ0個の画素が２次元マトリクス状に配列された表示領域がＰ×Ｑ個の表示領域ユニットに分割されて成り、各表示領域ユニットは複数の画素から構成されている。具体的には、例えば、画像表示用解像度としてＨＤ−ＴＶ規格を満たすものであり、２次元マトリクス状に配列された画素（ピクセル）の数Ｍ0×Ｎ0を（Ｍ0，Ｎ0）で表記したとき、例えば、（１９２０，１０８０）である。また、２次元マトリクス状に配列された画素から構成された表示領域１１（図１０において、一点鎖線で示す）がＰ×Ｑ個の表示領域ユニット１２（境界を点線で示す）に分割されている。ここで、（Ｐ，Ｑ）の値は、例えば、（１９，１２）である。但し、図面の簡素化のため、図１０における表示領域ユニット１２（及び、後述する面状光源ユニット４２）の数は、この値と異なる。各表示領域ユニット１２は複数（Ｍ×Ｎ）の画素から構成されており、１つの表示領域ユニット１２を構成する画素の数は、例えば、約１万である。また、各画素は、赤色発光副画素、緑色発光副画素、及び、青色発光副画素の３つの副画素（サブピクセル）から構成されている。
【００３３】
カラー液晶表示装置１０は、図１１に模式的な一部断面図を示すように、透明第１電極２４を備えたフロント・パネル２０、透明第２電極３４を備えたリア・パネル３０、及び、フロント・パネル２０とリア・パネル３０との間に配された液晶材料１３から成る。
【００３４】
フロント・パネル２０は、例えば、ガラス基板から成る第１の基板２１と、第１の基板２１の外面に設けられた偏光フィルム２６とから構成されている。第１の基板２１の内面には、アクリル樹脂やエポキシ樹脂から成るオーバーコート層２３によって被覆されたカラーフィルター２２が設けられ、オーバーコート層２３上には、透明第１電極（共通電極とも呼ばれ、例えば、ＩＴＯから成る）２４が形成され、透明第１電極２４上には配向膜２５が形成されている。一方、リア・パネル３０は、より具体的には、例えば、ガラス基板から成る第２の基板３１と、第２の基板３１の内面に形成されたスイッチング素子（具体的には、薄膜トランジスタ、ＴＦＴ）３２と、スイッチング素子３２によって導通／非導通が制御される透明第２電極（画素電極とも呼ばれ、例えば、ＩＴＯから成る）３４と、第２の基板３１の外面に設けられた偏光フィルム３６とから構成されている。透明第２電極３４を含む全面には配向膜３５が形成されている。フロント・パネル２０とリア・パネル３０とは、それらの外周部で封止材（図示せず）を介して接合されている。尚、スイッチング素子３２は、ＴＦＴに限定されず、例えば、ＭＩＭ素子から構成することもできる。また、図面における参照番号３７は、スイッチング素子３２とスイッチング素子３２との間に設けられた絶縁層である。
【００３５】
尚、これらの透過型のカラー液晶表示装置を構成する各種の部材や、液晶材料は、周知の部材、材料から構成することができるので、詳細な説明は省略する。
【００３６】
直下型の面状光源装置（バックライト）４０は、Ｐ×Ｑ個の表示領域ユニット１２に対応したＰ×Ｑ個の面状光源ユニット４２から成り、各面状光源ユニット４２は、面状光源ユニット４２に対応する表示領域ユニット１２を背面から照明する。尚、カラー液晶表示装置１０の下方に面状光源装置４０が位置しているが、図１０においては、カラー液晶表示装置１０と面状光源装置４０とを別々に表示した。面状光源装置における発光ダイオード等の配置、配列状態を図１２の（Ａ）に模式的に示し、面状光源装置及びカラー液晶表示装置組立体の模式的な一部断面図を図１２の（Ｂ）に示す。
【００３７】
面状光源装置４０は、外側フレーム５３と内側フレーム５４とを備えた筐体５１から構成されている。そして、透過型のカラー液晶表示装置１０の端部は、外側フレーム５３と内側フレーム５４とによって、スペーサ５５Ａ，５５Ｂを介して挟み込まれるように保持されている。また、外側フレーム５３と内側フレーム５４との間には、ガイド部材５６が配置されており、外側フレーム５３と内側フレーム５４とによって挟み込まれたカラー液晶表示装置１０がずれない構造となっている。筐体５１の内部であって上部には、拡散板６１が、スペーサ５５Ｃ、ブラケット部材５７を介して、内側フレーム５４に取り付けられている。また、拡散板６１の上には、拡散シート６２、プリズムシート６３、偏光変換シート６４といった光学機能シート群が積層されている。
【００３８】
筐体５１の内部であって下部には、反射シート６５が備えられている。ここで、この反射シート６５は、その反射面が拡散板６１と対向するように配置され、筐体５１の底面５２Ａに図示しない取付け用部材を介して取り付けられている。反射シート６５は、例えば、シート基材上に、銀反射膜、低屈折率膜、高屈折率膜を順に積層された構造を有する銀増反射膜から構成することができる。反射シート６５は、発光ダイオード４１から射出された光や、筐体５１の側面５２Ｂ、あるいは、図１２の（Ａ）に示す仕切り板４３によって反射された光を反射する。こうして、赤色を発光する複数の赤色発光ダイオード４１Ｒ、緑色を発光する複数の緑色発光ダイオード４１Ｇ、及び、青色を発光する複数の青色発光ダイオード４１Ｂから射出された赤色、緑色及び青色が混色され、色純度の高い白色光を照明光として得ることができる。この照明光は、拡散板６１、拡散シート６２、プリズムシート６３、偏光変換シート６４といった光学機能シート群を通過し、カラー液晶表示装置１０を背面から照射する。
【００３９】
発光ダイオード４１Ｒ，４１Ｇ，４１Ｂの配列状態は、例えば、赤色（例えば、波長６４０ｎｍ）を発光する赤色発光ダイオード４１Ｒ、緑色（例えば、波長５３０ｎｍ）を発光する緑色発光ダイオード４１Ｇ、及び、青色（例えば、波長４５０ｎｍ）を発光する青色発光ダイオード４１Ｂを１組とした発光ダイオード・ユニットを水平方向及び垂直方向に複数、並べる配列とすることができる。
【００４０】
面状光源装置４０を構成する面状光源ユニット４２は、複数の発光ダイオード４１を、面状光源ユニット４２の照明光（より具体的には、発光ダイオード４１の射出光）に対して不透明な仕切り板４３によって区分けすることで得ることができる。面状光源ユニット４２における輝度は、隣接する面状光源ユニット４２によって影響を受けない。
【００４１】
カラー液晶表示装置１０及び面状光源装置４０を駆動するための駆動回路は、パルス幅変調（ＰＷＭ）信号発生回路７１、デューティ比制御回路７２、発光ダイオード（ＬＥＤ）駆動回路７３、演算回路７４、記憶装置（メモリ）７５から構成された面状光源装置制御回路７０、及び、タイミングコントローラ８１といった周知の回路から構成された液晶表示装置駆動回路８０を備えている。また、カラー液晶表示装置１０には、ＴＦＴから成るスイッチング素子３２を駆動するための、ゲート・ドライバ、ソース・ドライバ等（これらは図示せず）が備えられている。
【００４２】
各画素は、赤色発光副画素（赤色発光サブピクセル）、緑色発光副画素（緑色発光サブピクセル）、及び、青色発光副画素（青色発光サブピクセル）の３つの副画素（サブピクセル）を１組として構成されている。以下の実施例の説明においては、赤色発光副画素、緑色発光副画素及び青色発光副画素のそれぞれの輝度の制御（階調制御）を８ビット制御とし、０〜２５５の２8段階にて行うとする。従って、各表示領域ユニット１２を構成する各画素における赤色発光副画素、緑色発光副画素、及び、青色発光副画素のそれぞれに供給される、赤色発光副画素の光透過率を制御する赤色発光制御信号の値をＸR、緑色発光副画素の光透過率を制御する緑色発光制御信号の値をＸG、及び、青色発光副画素の光透過率を制御する青色発光制御信号の値をＸBとしたとき、赤色発光制御信号の値ＸRは０〜２５５の２8段階の値をとり、緑色発光制御信号の値ＸGも０〜２５５の２8段階の値をとり、青色発光制御信号の値ＸBも０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【００４３】
そして、これらの発光制御信号の値（ＸR，ＸG，ＸB）を有する発光制御信号は、駆動回路から、各画素を構成する赤色発光副画素、緑色発光副画素、及び、青色発光副画素のそれぞれに供給される。より具体的には、駆動回路を構成するタイミングコントローラ８１から、カラー液晶表示装置１０のゲート・ドライバ及びソース・ドライバに、周知の方法で送出され、各副画素を構成するスイッチング素子３２が駆動され、透明第１電極２４及び透明第２電極３４に所望の電圧が印加されることで、各副画素を構成する液晶セルにおける光透過率（開口率とも呼ばれる）が制御される。ここで、発光制御信号の値（ＸR，ＸG，ＸB）が大きいほど、副画素の光透過率（副画素の開口率）が高くなり、副画素の輝度の値が高くなる。即ち、副画素を通過する光によって構成される画像（通常、一種、点状である）は明るい。
【００４４】
２次元マトリクス状に配列された画素から構成された表示領域がＰ×Ｑ個の表示領域ユニットに分割されているが、この状態を、「行」及び「列」で表現すると、Ｑ行×Ｐ列の表示領域ユニットに分割されていると云える。また、表示領域ユニット１２は複数（Ｍ×Ｎ）の画素から構成されているが、この状態を、「行」及び「列」で表現すると、Ｎ行×Ｍ列の画素から構成されていると云える。尚、２次元マトリクス状に配列され、第ｑ行、第ｐ列［但し、ｑ＝１，２，・・・，Ｑであり、ｐ＝１，２，・・・，Ｐである］に位置する表示領域ユニット、面状光源ユニットを、それぞれ、表示領域ユニット１２(q,p)、面状光源ユニット４２(q,p)と表記し、第１の方向に沿ってＭ0個、第２の方向に沿ってＮ0個の、合計Ｍ0×Ｎ0個の画素における、第ｎ行、第ｍ列［但し、ｎ＝１，２，・・・，Ｎであり、ｍ＝１，２，・・・，Ｍである］に位置し、且つ、第ｑ行目、第ｐ列［但し、ｑ＝１，２，・・・，Ｑであり、ｐ＝１，２，・・・，Ｐである］の表示領域ユニット内に存在する画素をＰＸ(n,m/q,p)と表記し、赤色発光副画素をＳＰＸR-(n,m/q,p)、緑色発光副画素をＳＰＸG-(n,m/q,p)、青色発光副画素をＳＰＸB-(n,m/q,p)と表記する。更には、係る画素ＰＸ(n,m/q,p)における光透過率を制御するための画像信号に相当する赤色発光副画素ＳＰＸR-(n,m/q,p)の光透過率を制御する赤色発光制御信号をＬＶＤＳR-(n,m/q,p)と表記し、赤色発光制御信号ＬＶＤＳR-(n,m/q,p)の値をＸR（より具体的には、ＸR-(n,m/q,p)）と表記し、緑色発光副画素ＳＰＸG-(n,m/q,p)の光透過率を制御する緑色発光制御信号をＬＶＤＳG-(n,m/q,p)と表記し、緑色発光制御信号ＬＶＤＳG-(n,m/q,p)の値をＸG（より具体的には、ＸG-(n,m/q,p)）と表記し、青色発光副画素ＳＰＸB-(n,m/q,p)の光透過率を制御する青色発光制御信号をＬＶＤＳB-(n,m/q,p)と表記し、青色発光制御信号ＬＶＤＳB-(n,m/q,p)の値をＸB（より具体的には、ＸB-(n,m/q,p)）と表記する。尚、発光制御信号ＬＶＤＳを構成するＬＶＤＳ（Low Voltage Differential Signaling）方式とは、パラレル信号を低電圧差動のシリアル信号に変換して伝送する方式であり、ノイズ及び不要輻射を低減し、伝送線を削減することができる。但し、信号伝送方式は、ＬＶＤＳ方式に限られず、例えば、ＬＶＴＴＬ方式を採用してもよい。
【００４５】
画素の輝度及び面状光源ユニットの輝度の制御は、１フレーム毎に行われる。
【実施例１】
【００４６】
実施例１は、本発明のカラー液晶表示装置組立体の駆動方法に関し、より具体的には、本発明の第１の形態に係る駆動方法に関する。以下、実施例１のカラー液晶表示装置組立体の駆動方法を、図１、図２及び図３の流れ図を参照して説明するが、実施例１あるいは後述する実施例２〜実施例３において、画素に供給される赤色発光制御信号、緑色発光制御信号、及び、青色発光制御信号の最大値をＸmaxとする。Ｘmaxの具体的な値を表２に示す。また、実施例１における発光制御信号の値とデューティ期間との関係を模式的に図４の（Ａ）に示し、発光制御信号の値と表示輝度との関係を模式的に図４の（Ｂ）に示す。
【００４７】
［表２］
Ｘmax        ＝２５６
ａ0          ＝０．６
ａ1          ＝０．０１
ａ2          ＝０．０６２５（＝１／１６）
ａ3          ＝０．０６２５（＝１／１６）
ａM          ＝０．１
ａN          ＝０．１
ｋ0          ＝０．０６２５
ｋ1          ＝０．９３７５
ｋ1・Ｘmax   ＝２４０
ｋ0・Ｘmax   ＝  １６
ｋ2          ＝０．２
α0          ＝１．００
α1          ＝０．７
α2          ＝０．１
Ｄmax＝カラー液晶表示装置における表示領域ユニットにおいて、７１４ｃｄ／ｍ2の値が得られるデューティ期間
Ｄ0＝Ｄmax
Ｄ1＝カラー液晶表示装置における表示領域ユニットにおいて、５００ｃｄ／ｍ2の値が得られるデューティ期間
Ｄ2＝カラー液晶表示装置における表示領域ユニットにおいて、７１ｃｄ／ｍ2の値が得られるデューティ期間
【００４８】
［ステップ−１００］
スキャンコンバータ等の周知のディスプレイ回路から送出された１フレーム分の赤色発光制御信号ＬＶＤＳR-(n,m/q,p)、緑色発光制御信号ＬＶＤＳG-(n,m/q,p)、及び、青色発光制御信号ＬＶＤＳB-(n,m/q,p)、並びに、クロック信号ＣＬＫは、先ず、面状光源装置制御回路７０に入力され、そして、そのまま出力されて、タイミングコントローラ８１に入力される。あるいは又、これらの信号は、面状光源装置制御回路７０及びタイミングコントローラ８１に入力される。そして、面状光源装置制御回路７０に入力された１フレーム分の赤色発光制御信号ＬＶＤＳR-(n,m/q,p)の値ＸR-(n,m/q,p)、緑色発光制御信号ＬＶＤＳG-(n,m/q,p)の値ＸG-(n,m/q,p)、及び、青色発光制御信号ＬＶＤＳB-(n,m/q,p)の値ＸB-(n,m/q,p)は、面状光源装置制御回路７０を構成する記憶装置（メモリ）７５に、一旦、記憶される。
【００４９】
［ステップ−１１０］
次いで、演算回路７４においては、記憶装置（メモリ）７５に記憶された発光制御信号の値を読み出し、ｎ＝１，２，３・・・，Ｎ0までにおいて、ｍ＝１，２，３・・・，Ｍ0まで、１つの画素ＰＸ(n,m/q,p)に供給される３種類の発光制御信号の値（ＸR-(n,m/q,p)，ＸG-(n,m/q,p)，ＸB-(n,m/q,p)）の内の最大値をＭａｘ［ＸR-(n,m/q,p)，ＸG-(n,m/q,p)，ＸB-(n,m/q,p)］で表したとき、全画素におけるＭａｘ［ＸR-(n,m/q,p)，ＸG-(n,m/q,p)，ＸB-(n,m/q,p)］の平均値ＡｖｅMAX［ＸR-(n,m/q,p)，ＸG-(n,m/q,p)，ＸB-(n,m/q,p)］が、
ＡｖｅMAX［ＸR-(n,m/q,p)，ＸG-(n,m/q,p)，ＸB-(n,m/q,p)］≦ａ0・Ｘmax    （１）
（ここで、ａ0は定数であり、実施例にあっては、０．６）
を満足するか否かを調べる。満足しない場合には、［ステップ−１６０］を実行する。満足する場合には、次の［ステップ−１２０］を実行する。
【００５０】
このように、式（１）を満足しない場合、画面全体の明るさが明るいと判断されるので、特に白を表示する画像の部分に輝き感を与えるといった操作は不要である。一方、式（１）を満足する場合、画面全体の明るさが暗いと判断されるので、特に白色の画像の部分に輝き感を与えるために、次の［ステップ−１２０］を実行する。
【００５１】
［ステップ−１２０］
即ち、演算回路７４においては、記憶装置（メモリ）７５に記憶された発光制御信号の値を再び読み出し、ｎ＝１，２，３・・・，Ｎ0までにおいて、ｍ＝１，２，３・・・，Ｍ0まで、１つの画素ＰＸ(n,m/q,p)に供給される３種類の発光制御信号の値（ＸR-(n,m/q,p)，ＸG-(n,m/q,p)，ＸB-(n,m/q,p)）が、
ＸR-(n,m/q,p)（＝ＸR）≧ｋ1・Ｘmax    （２−１’）
ＸG-(n,m/q,p)（＝ＸG）≧ｋ1・Ｘmax    （２−２’）
ＸB-(n,m/q,p)（＝ＸB）≧ｋ1・Ｘmax    （２−３’）
を満足する画素が、白色表示画素として存在する場合、云い換えれば、各画素ＰＸ(n,m/q,p)における赤色発光副画素ＳＰＸR-(n,m/q,p)、緑色発光副画素ＳＰＸG-S(n,m/q,p)、及び、青色発光副画素ＳＰＸB-(n,m/q,p)のそれぞれに供給される、赤色発光制御信号ＬＶＤＳR-(n,m/q,p)の値ＸR-(n,m/q,p)、緑色発光制御信号ＬＶＤＳG-(n,m/q,p)の値ＸG-(n,m/q,p)、及び、青色発光制御信号ＬＶＤＳB-(n,m/q,p)の値ＸB-(n,m/q,p)の全てが、同時に、上限閾値であるｋ1・Ｘmaxの値以上である画素が、白色表示画素として存在する場合、係る白色表示画素の数をＮＣとしたとき、
ａ1×Ｍ0×Ｎ0≦ＮＣ≦ａ2×Ｍ0×Ｎ0    （３）
（ここで、ａ1，ａ2は定数）
を満足するか否かを調べる。但し、ｋ1は、０．９０≦ｋ1≦０．９９の範囲内の係数であり、ｋ1，ｋ1・Ｘmax，ａ1，ａ2の具体的な値を表２に示す。
【００５２】
このように、式（２−１’），式（２−２’），式（２−３’）を同時に満足する白色表示画素の数ＮＣが、式（３）を満足しない場合、白色表示画素が全体の画素の例えば１％未満であるので、白色を表示する画面の部分の面積が小さすぎると判断され、あるいは又、例えば６．２５％を超えるので、白色を表示する画面の部分の面積が大きすぎると判断され、特に白を表示する画像の部分に輝き感を与えるといった操作は不要であり、［ステップ−１６０］を実行する。一方、式（３）を満足する場合、白色を表示する画面の部分に輝き感を与えるために、次の［ステップ−１３０Ａ］〜［ステップ−１３０Ｄ］を実行する。尚、［ステップ−１２０］において式（２−１’）、式（２−２’）及び式（２−３’）を満足する（ｍ，ｎ）を記憶しておき、記憶された（ｍ，ｎ）に基づき、次の［ステップ−１３０Ａ］〜［ステップ−１３０Ｄ］を実行してもよい。
【００５３】
［ステップ−１３０Ａ］
即ち、演算回路７４においては、記憶装置（メモリ）７５に記憶された発光制御信号の値を再び読み出し、例えば、ｎの値が最も小さく、且つ、ｍの値が最も小さい画素（ｎ1，ｍ1）を始点画素（ｎini，ｍini）として、ｎiniを固定して、ｍiniから出発して、白色表示画素が第１の方向に沿って（即ち、ｍの値を１つずつインクリメントして）、係る画素が白色表示画素であるかを調べ、白色表示画素がａM×Ｍ0（ここで、ａMは定数であり、実施例にあっては、ａM＝０．１）個以上連続して存在するか否かを調べる。
【００５４】
［ステップ−１３０Ｂ］
そして、存在する場合、ｍiniを固定して、ｎiniから出発して、式（２−１’），（２−２’），（２−３’）を同時に満足する白色表示画素が第２の方向に沿って（即ち、ｎminからｎの値を１つずつインクリメントして）、係る画素が白色表示画素であるかを調べ、白色表示画素がａN×Ｎ0（ここで、ａNは定数であり、実施例にあっては、ａN＝０．１）個以上連続して存在するか否かを調べる。
【００５５】
［ステップ−１３０Ｃ］
そして、白色表示画素がａM×Ｍ0個以上、及び、ａN×Ｎ0個以上、連続して存在するときの白色表示画素が含まれる各表示領域ユニット１２(q,p)（輝度増加表示領域ユニット１２Ａ(q,p)と呼ぶ場合がある）に対応する面状光源ユニット４２(q,p)（輝度増加面状光源ユニット４２Ａ(q,p)と呼ぶ場合がある）を記憶装置（メモリ）７５に記憶する。
【００５６】
［ステップ−１３０Ｄ］
次いで、あるいは又、白色表示画素がａM×Ｍ0個以上連続して存在しない場合、あるいは又、白色表示画素がａN×Ｎ0個以上連続して存在しない場合、始点画素（ｎini，ｍini）におけるｎiniを１つインクリメントして、［ステップ−１３０Ａ］〜［ステップ−１３０Ｃ］を繰り返す。更には、ｎiniの値がそれ以上、インクリメントできなくなった場合、ｍminを１つインクリメントして、（ｎmin，ｍmin）から更に［ステップ−１３０Ａ］〜［ステップ−１３０Ｃ］を繰り返す。このような操作を全画素に対して行う。
【００５７】
尚、輝度増加表示領域ユニット１２Ａ(q,p)が存在しない場合には、［ステップ−１６０］を実行する。
【００５８】
［ステップ−１４０］
次に、輝度増加表示領域ユニット１２Ａ(q,p)に対応する輝度増加面状光源ユニット４２Ａ(q,p)の数（［ステップ−１３０Ｃ］において得られた輝度増加面状光源ユニット４２Ａ(q,p)の数）ＮＢが、
ＮＢ≦ａ3×Ｐ×Ｑ    （４）
（ここで、ａ3は定数であり、実施例にあっては、ａ3＝０．０６２５）
を満足するか否かを調べる。
【００５９】
式（４）を満足しない場合には、［ステップ−１６０］を実行する。一方、式（４）を満足する場合には、以下の［ステップ−１５０］を実行する。
【００６０】
［ステップ−１５０］
即ち、輝度増加表示領域ユニット１２Ａ(q,p)に対応する輝度増加面状光源ユニット４２Ａ(q,p)の輝度を増加させる。より具体的には、輝度増加表示領域ユニット１２Ａ(q,p)を構成する各画素における３種類の発光制御信号の値の平均値
（ＸR＋ＸG＋ＸB）／３＝（ＸR-(n,m/q,p)＋ＸG-(n,m/q,p)＋ＸB-(n,m/q,p)）／３
を輝度増加表示領域ユニット１２Ａ(q,p)を構成する全ての画素において求め、３種類の発光制御信号の値の平均値の最大値をＸave_maxとしたとき、
Ｘ（Ｕ）max＝Ｘave_max＋ｋ0・Ｘmax    （５）
に相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるように、輝度増加表示領域ユニット１２Ａ(q,p)に対応する輝度増加面状光源ユニット４２Ａ(q,p)の輝度を増加させる。但し、ｋ0は、０．０６≦ｋ0≦０．３の範囲内の係数であり、具体的な値を表２に示す。尚、式（５）の右辺第１項の値を整数とし、３で除したときに整数とならない場合には、小数点第１桁を四捨五入する。また、式（５）の右辺第２項の値も整数とし、ｋ0・Ｘmaxの値が整数となるように係数ｋ0を選択する。
【００６１】
具体的には、例えば、
ＸR-(n,m/q,p)＝２４０
ＸG-(n,m/q,p)＝２５５
ＸB-(n,m/q,p)＝２５０
とした場合、式（５）から、演算回路７４において、Ｘ（Ｕ）maxの値を計算する。即ち、
Ｘ（Ｕ）max＝（２４０＋２５５＋２５０）／３＋１６
＝２６４
となる。従って、ＸR＝ＸG＝ＸB＝２６４に相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるように、輝度増加表示領域ユニット１２Ａ(q,p)に対応する輝度増加面状光源ユニット４２Ａ(q,p)の輝度を増加させる。
【００６２】
ここで、
Ｘ（Ｕ）max＝（１＋ｋ0）Ｘmax    （６）
＝２７２
に相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるようなデューティ期間Ｄ0は、最大デューティ期間をＤmaxとしたとき、
Ｄ0＝α0・Ｄmax    （７）
である。但し、α0は、０．９５≦α0≦１．０の範囲内の係数であり、具体的な値を表２に示す。
【００６３】
そして、演算回路７４において求められたＸR＝ＸG＝ＸB＝２６４といった値に基づき、デューティ比制御回路７２において、輝度増加面状光源ユニット４２Ａ(q,p)を構成する発光ダイオード４１Ｒ(q,p)，４１Ｇ(q,p)，４１Ｂ(q,p)のパルス幅変調制御におけるデューティ期間Ｄ［Ｘ（Ｕ）max］を決定する。この状態を、図４の（Ａ）には実線で示す。そして、係るデューティ期間Ｄ［Ｘ（Ｕ）max］に相当する信号をＬＥＤ制御回路７３に送り、併せて、ＰＷＭ信号発生回路７１において生成されたＰＷＭ信号をＬＥＤ制御回路７３に送り、ＬＥＤ制御回路７３においては、ＰＷＭ信号とデューティ期間Ｄ［Ｘ（Ｕ）max］に相当する信号に基づきＬＥＤ駆動信号ＰＷＭ(q,p)を生成し、係るＬＥＤ駆動信号ＰＷＭ(q,p)を、輝度増加面状光源ユニット４２Ａ(q,p)を構成する発光ダイオード４１Ｒ(q,p)，４１Ｇ(q,p)，４１Ｂ(q,p)に送出する。これによって、輝度増加面状光源ユニット４２Ａ(q,p)を構成する発光ダイオード４１Ｒ(q,p)，４１Ｇ(q,p)，４１Ｂ(q,p)は、１フレーム時間中の所定の時間だけ点灯し、第（ｐ，ｑ）番目の輝度増加表示領域ユニット１２Ａ(q,p)を、所定の照度において照明する。こうして得られた表示輝度の状態を、図４の（Ｂ）には実線で示す。
【００６４】
一方、輝度増加面状光源ユニット４２Ａ(q,p)以外の面状光源ユニット４２(q,p)（非輝度増加面状光源ユニット４２Ｂ(q,p)と呼ぶ場合がある）にあっては、以下の［ステップ−１６０］と同じ操作が行われる。
【００６５】
［ステップ−１６０］
即ち、［ステップ−１１０］、［ステップ−１２０］、［ステップ−１３０Ａ］〜［ステップ−１３０Ｄ］、あるいは、［ステップ−１４０］において、［ステップ−１６０］を実行すべきと判断された場合には、また、輝度増加面状光源ユニット４２Ａ(q,p)以外の非輝度増加面状光源ユニット４２Ｂ(q,p)にあっては、面状光源ユニットの動作を通常の動作とする。尚、この［ステップ−１６０］あるいは後述する［ステップ−２１０］において駆動される面状光源ユニットを、総称して、非輝度増加面状光源ユニット４２Ｂ(q,p)と呼ぶ。具体的には、演算回路７４からその旨の指示を受け取ったデューティ比制御回路７２においては、非輝度増加面状光源ユニット４２Ｂ(q,p)における輝度Ｌ(q,p)が一定の輝度ＬConsとなるように、非輝度増加面状光源ユニット４２Ｂ(q,p)を構成する発光ダイオード４１Ｒ(q,p)，４１Ｇ(q,p)，４１Ｂ(q,p)のパルス幅変調制御におけるデューティ期間Ｄ1（＝α1・Ｄmaxであり、具体的な値を表２に示す）を決定する。この状態を、図４の（Ａ）には点線で示す。そして、係るデューティ期間Ｄ1に相当する信号をＬＥＤ制御回路７３に送り、併せて、ＰＷＭ信号発生回路７１において生成されたＰＷＭ信号をＬＥＤ制御回路７３に送り、ＬＥＤ制御回路７３においては、ＰＷＭ信号とデューティ期間Ｄ1に相当する信号に基づきＬＥＤ駆動信号ＰＷＭ(q,p)を生成し、係るＬＥＤ駆動信号ＰＷＭ(q,p)を、非輝度増加面状光源ユニット４２Ｂ(q,p)を構成する発光ダイオード４１Ｒ(q,p)，４１Ｇ(q,p)，４１Ｂ(q,p)に送出する。これによって、非輝度増加面状光源ユニット４２Ｂ(q,p)を構成する発光ダイオード４１Ｒ(q,p)，４１Ｇ(q,p)，４１Ｂ(q,p)は、１フレーム時間中の所定の時間だけ点灯し、非輝度増加表示領域ユニット１２Ｂ(q,p)を所定の照度において照明する。こうして得られた表示輝度の状態を、図４の（Ｂ）には点線で示す。
【００６６】
尚、ｋ1・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるようなデューティ期間Ｄ1は、最大デューティ期間をＤmaxとしたとき、
Ｄ1＝α1・Ｄmax    （８）
を満足する。但し、α1は、０．３≦α1≦０．８の範囲内の係数であり、具体的な値は表２に示したとおりである。
【００６７】
こうして、１フレームの画像表示が行われる。１フレーム内における液晶表示装置１０の動作と面状光源装置４０の動作とは同期させられる。
【００６８】
尚、［ステップ−１００］において説明したとおり、スキャンコンバータ等の周知のディスプレイ回路から送出された１フレーム分の赤色発光制御信号ＬＶＤＳR-(n,m/q,p)、緑色発光制御信号ＬＶＤＳG-(n,m/q,p)、及び、青色発光制御信号ＬＶＤＳB-(n,m/q,p)、並びに、クロック信号ＣＬＫは、何ら、変更、補正等されることなくタイミングコントローラ８１に入力される。従って、本発明のカラー液晶表示装置組立体の駆動方法にあっては、係る駆動方法を実行しても、副画素の光透過率（副画素の開口率）それ自体が、変更、補正等されることはない。
【００６９】
式（５）の右辺第２項のｋ0・Ｘmaxにおける係数ｋ0を、発光制御信号の平均値［（ＸR＋ＸG＋ＸB）／３＝Ｘave_max］の１次あるいは２次以上の多項式で表現される関数Ｆ_k0（Ｘave_max）とすることもできる。例えば、関数Ｆ_k0（Ｘave_max）として、Ｘave_maxの１次関数、例えば、
Ｆ_k0（Ｘave_max）＝ｋ0・Ｘave_max／｛（１−ｋ1）・Ｘmax) ｝−ｋ0・ｋ1／（１−ｋ1）
を例示することができる。この実施例１の変形例における発光制御信号の値とデューティ期間との関係を模式的に図５の（Ａ）に示し、発光制御信号の値と表示輝度との関係を模式的に図５の（Ｂ）に示す。尚、関数Ｆ_k0（Ｘave_max）は、上記のとおり、Ｘave_max＝ｋ1・Ｘmaxのとき０であり、Ｘave_max＝Ｘmaxのときｋ0となる１次関数である。
【００７０】
カラー液晶表示装置におけるコントラスト比（カラー液晶表示装置の画面表面における、外光反射等を含まない、全黒表示部と全白表示部の輝度比）は、各画素の光透過率を最大にした場合の光透過率と、最低にした場合の光透過率との比である。そして、現状のカラー液晶表示装置にあっては、１０００対１程度のコントラスト比が達成できれば優秀なカラー液晶表示装置であると云われている。ところで、コントラスト比を更に向上させるためには、全白表示部の輝度レベルを上げる必要があり、そのためには、図１４に模式的に示すように、面状光源装置の輝度を増加させる方法が考えられる。然るに、このような方法では、全黒表示部も明るくなり、所謂、「黒が浮く」といった現象が生じてしまい、他の形式の表示装置と比べて、表示画面の自然さの点で劣る。また、陰極線管（ＣＲＴ）にあっては、自動輝度制限（ＡＢＬ）制御を行い、白表示部のみ、輝度レベルを上げることで、陰極線管独特の白の輝きを達成している。具体的には、白表示部の輝度を例えば５００ｃｄ／ｍ2とし、他の部分の輝度を３００ｃｄ／ｍ2としている。しかしながら、カラー液晶表示装置にあっては、白表示部を含む表示領域の部分の輝度レベルを、他の表示領域の部分の輝度レベルよりも上げる具体的な方法は、本発明者が調べた限りでは知られていない。
【００７１】
実施例１のカラー液晶表示装置組立体の駆動方法にあっては、３つの発光制御信号の値（ＸR，ＸG，ＸB）の平均値にバイアス（ｋ0・Ｘmax）を加えた値に相当する信号値を有する発光制御信号が各副画素に供給されたと想定したときの画素の輝度が得られるように、輝度増加表示領域ユニットに対応する輝度増加面状光源ユニットの輝度を増加させるので、係る白色表示画素を含む輝度増加表示領域ユニットの輝度レベルを、他の表示領域ユニットの輝度レベルよりも上げることができ、陰極線管の白の輝きに類似した白の輝きを達成することができる。
【実施例２】
【００７２】
実施例２は、実施例１の変形であり、本発明の第２の形態に係る駆動方法に関する。以下、実施例２のカラー液晶表示装置組立体の駆動方法を説明する。尚、実施例２における発光制御信号の値とデューティ期間との関係を模式的に図６の（Ａ）に示し、発光制御信号の値と表示輝度との関係を模式的に図６の（Ｂ）に示す。
【００７３】
尚、図６の（Ａ）及び（Ｂ）の実線、点線、あるいは、後述する図７の（Ａ）及び（Ｂ）の実線、点線、図８の（Ａ）及び（Ｂ）の実線、点線、図９の（Ａ）及び（Ｂ）の実線、点線の意味するところは、図４の（Ａ）及び（Ｂ）の実線、点線の意味するところと同じである。また、実施例２あるいは後述する実施例３におけるＸmaxを含む種々のパラメータの値は、表２に示したとおりである。
【００７４】
［ステップ−２００］
先ず、実施例１の［ステップ−１００］〜［ステップ−１５０］と同じステップを実行する。
【００７５】
［ステップ−２１０］
このステップは、実施例１の［ステップ−１６０］と類似したステップであるが、実施例１の［ステップ−１６０］とは異なっている。即ち、［ステップ−１１０］、［ステップ−１２０］、［ステップ−１３０Ａ］〜［ステップ−１３０Ｄ］、あるいは、［ステップ−１４０］において、［ステップ−１６０］を実行すべきと判断された場合には、また、輝度増加面状光源ユニット４２Ａ(q,p)以外の非輝度増加面状光源ユニット４２Ｂ(q,p)にあっては、各非輝度増加表示領域ユニット１２Ｂ(q,p)を構成する全ての画素ＰＸ(n,m/q,p)における赤色発光副画素ＳＰＸR-(n,m/q,p)、緑色発光副画素ＳＰＸG-(n,m/q,p)、及び、青色発光副画素ＳＰＸB-(n,m/q,p)に供給される赤色発光制御信号ＬＶＤＳR-(n,m/q,p)（信号の値：ＸR-(n,m/q,p)）、緑色発光制御信号ＬＶＤＳG-(n,m/q,p)（信号の値：ＸG-(n,m/q,p)）、及び、青色発光制御信号ＬＶＤＳB-(n,m/q,p)（信号の値：ＸB-(n,m/q,p)）の内の最大値Ｘ’（Ｕ）maxを、演算回路７４において決定する。
【００７６】
そして、係るＸ’（Ｕ）maxに相当する値を有する赤色発光制御信号ＬＶＤＳR-(n,m/q,p)、緑色発光制御信号ＬＶＤＳG-(n,m/q,p)、及び、青色発光制御信号ＬＶＤＳB-(n,m/q,p)が、赤色発光副画素ＳＰＸR-(n,m/q,p)、緑色発光副画素ＳＰＸG-(n,m/q,p)、及び、青色発光副画素ＳＰＸB-(n,m/q,p)に供給されたと想定したときの画素の輝度（表示輝度）が得られるように、非輝度増加表示領域ユニット１２Ｂ(q,p)に対応する非輝度増加面状光源ユニット４２Ｂ(q,p)の輝度（光源ユニット輝度）を増減する。
【００７７】
即ち、演算回路７４からＸ’（Ｕ）maxに関する情報を受け取ったデューティ比制御回路７２においては、非輝度増加面状光源ユニット４２Ｂ(q,p)における輝度Ｌ(q,p)によって上述した表示輝度が得られるように、非輝度増加面状光源ユニット４２Ｂ(q,p)を構成する発光ダイオード４１Ｒ(q,p)，４１Ｇ(q,p)，４１Ｂ(q,p)のパルス幅変調制御におけるデューティ期間Ｄを決定する。この状態を、図６の（Ａ）には点線で示すが、実施例１と異なり、デューティ期間Ｄは、一定の値ではなく、一種、Ｘ’（Ｕ）maxの関数である。そして、係るデューティ期間Ｄに相当する信号をＬＥＤ制御回路７３に送り、併せて、ＰＷＭ信号発生回路７１において生成されたＰＷＭ信号をＬＥＤ制御回路７３に送り、ＬＥＤ制御回路７３においては、ＰＷＭ信号とデューティ期間Ｄに相当する信号に基づきＬＥＤ駆動信号ＰＷＭ(q,p)を生成し、係るＬＥＤ駆動信号ＰＷＭ(q,p)を、非輝度増加面状光源ユニット４２Ｂ(q,p)を構成する発光ダイオード４１Ｒ(q,p)，４１Ｇ(q,p)，４１Ｂ(q,p)に送出する。これによって、非輝度増加面状光源ユニット４２Ｂ(q,p)を構成する発光ダイオード４１Ｒ(q,p)，４１Ｇ(q,p)，４１Ｂ(q,p)は、１フレーム時間中の所定の時間だけ点灯し、第（ｐ，ｑ）番目の非輝度増加表示領域ユニット１２Ｂ(q,p)を所定の照度において照明する。こうして得られた表示輝度の状態を、図６の（Ｂ）には点線で示す。
【００７８】
例えば、
ＸR-(n,m/q,p)）＝１１０
ＸG-(n,m/q,p)）＝１５０
ＸB-(n,m/q,p)）＝  ５０
である場合、
Ｘ’（Ｕ）max＝１５０
となる。従って、Ｘ’（Ｕ）max＝１５０に相当する値を有する赤色発光制御信号ＬＶＤＳR-(n,m/q,p)、緑色発光制御信号ＬＶＤＳG-(n,m/q,p)、及び、青色発光制御信号ＬＶＤＳB-(n,m/q,p)が、赤色発光副画素ＳＰＸR-(n,m/q,p)、緑色発光副画素ＳＰＸG-(n,m/q,p)、及び、青色発光副画素ＳＰＸB-(n,m/q,p)に供給されたと想定したときの画素の輝度（表示輝度）が得られるように、非輝度増加表示領域ユニット１２Ｂ(q,p)に対応する非輝度増加面状光源ユニット４２Ｂ(q,p)の輝度（光源ユニット輝度）を増減する。
【００７９】
実施例２にあっても、式（５）の右辺第２項のｋ0・Ｘmaxにおける係数ｋ0を、実施例１において説明したと同様に、発光制御信号の平均値（Ｘave_max）の１次あるいは２次以上の多項式で表現される関数Ｆ_k0（Ｘave_max）とすることもできる。実施例２の変形例における発光制御信号の値とデューティ期間との関係を模式的に図７の（Ａ）に示し、発光制御信号の値と表示輝度との関係を模式的に図７の（Ｂ）に示す。
【００８０】
実施例２のカラー液晶表示装置組立体の駆動方法にあっては、実施例１のカラー液晶表示装置組立体の駆動方法と同じ方法に基づき、陰極線管の白の輝きに類似した白の輝きを達成することができるだけでなく、副画素に供給される発光制御信号の値（ＸR，ＸG，ＸB）の内の最大値Ｘ’（Ｕ）maxに相当する値を有する発光制御信号が、各副画素に供給されたと想定したときの画素の輝度が得られるように、非輝度増加表示領域ユニットに対応する非輝度増加面状光源ユニットの輝度を増減させるので、コントラスト比を一層向上させることが可能となる。
【実施例３】
【００８１】
実施例３は、実施例２の変形である。実施例２においては、デューティ期間Ｄは、一種、Ｘ’（Ｕ）maxの関数であり、しかも、Ｘ’（Ｕ）maxに相当する値を有する赤色発光制御信号、緑色発光制御信号、及び、青色発光制御信号が、赤色発光副画素、緑色発光副画素、及び、青色発光副画素に供給されたと想定したときの画素の輝度が得られるように、非輝度増加表示領域ユニットに対応する非輝度増加面状光源ユニットの輝度を増減した。
【００８２】
一方、実施例３にあっては、実施例２の［ステップ−２１０］において、輝度増加面状光源ユニット４２Ａ(q,p)以外の非輝度増加面状光源ユニット４２Ｂ(q,p)に対応する非輝度増加表示領域ユニット１２Ｂ(q,p)にあっては、
Ｘ’（Ｕ）max≦ｋ2・Ｘmax    （９）
である場合、ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるように、非輝度増加表示領域ユニット１２Ｂ(q,p)に対応する非輝度増加面状光源ユニット４２Ｂ(q,p)の輝度（光源ユニット輝度）を制御する。但し、ｋ2は、０．１≦ｋ2≦０．２の範囲内の係数であり、具体的な値は表２に示すとおりである。尚、この状態を、図８の（Ｂ）に点線で示す。
【００８３】
また、ｋ2・Ｘmaxに相当する値を有する赤色発光制御信号、緑色発光制御信号、及び、青色発光制御信号が、赤色発光副画素、緑色発光副画素、及び、青色発光副画素に供給されたと想定したときの画素の輝度（表示輝度）が得られるようなデューティ期間Ｄ2は、最大デューティ期間をＤmaxとしたとき、
Ｄ2＝α2・Ｄmax    （１０）
を満足する。但し、α2は、０．０１≦α2≦０．２の範囲内の係数であり、具体的な値は表２に示すとおりである。尚、この状態を、図８の（Ａ）に点線で示す。
【００８４】
実施例３にあっても、式（５）の右辺第２項のｋ0・Ｘmaxにおける係数ｋ0を、実施例１において説明したと同様に、発光制御信号の平均値（Ｘave_max）の１次あるいは２次以上の多項式で表現される関数Ｆ_k0（Ｘave_max）とすることもできる。実施例３の変形例における発光制御信号の値とデューティ期間との関係を模式的に図９の（Ａ）に示し、発光制御信号の値と表示輝度との関係を模式的に図９の（Ｂ）に示す。
【００８５】
以上、本発明を好ましい実施例に基づき説明したが、本発明はこれらの実施例に限定されるものではない。実施例において説明した透過型のカラー液晶表示装置や面状光源装置、カラー液晶表示装置組立体の構成、構造は例示であるし、これらを構成する部材、材料等も例示であり、適宜、変更することができる。面状光源装置の発光状態を光センサーで監視し、発光ダイオードの温度を温度センサーで監視し、その結果を、発光ダイオード（ＬＥＤ）駆動回路７３にフィードバックすることで、面状光源ユニットの輝度補償（補正）や温度制御を行ってもよい。
【００８６】
また、場合によっては式（２−１）、式（２−２）、式（２−３）の代わりに、
（ＸR＋ＸG＋ＸB）／３≧ｋ1・Ｘmax    （１１）
（但し、ｋ1は、０．９０≦ｋ1≦０．９９の範囲内の係数）
を満足する画素が、白色表示画素として存在する場合、係る白色表示画素の数をＮＣとしたとき、
ａ1×Ｍ0×Ｎ0≦ＮＣ≦ａ2×Ｍ0×Ｎ0    （３）
（ここで、ａ1，ａ2は定数）
を満足するか否かを調べるといったカラー液晶表示装置組立体の駆動方法を採用してもよい。更には、［ステップ−１３０Ａ］〜［ステップ−１３０Ｄ］において説明したルーチンも例示であり、適宜変更することができる。
【００８７】
図１３に概念図を示すように、発光ダイオード４１に光取出しレンズ１００を取り付けた発光ダイオード組立体を光源として使用し、発光ダイオード４１から射出された光が、光取出しレンズ１００の頂面１０３において全反射され、光取出しレンズ１００の水平方向に主に射出される２次元方向射出構成とすることもできる。尚、図１３において、参照番号１０１は光取出しレンズ１００の底面を指し、参照番号１０２は光取出しレンズ１００の側面を指す。光取出しレンズを構成する材料としては、メガネレンズに用いられている材料を挙げることができ、セイコーオプティカルプロダクツ株式会社の商品名プレステージ（屈折率：１．７４）、昭和光学株式会社の商品名ＵＬＴＩＭＡＸ  Ｖ  ＡＳ  １．７４（屈折率：１．７４）、ニコン・エシロールの商品名ＮＬ５−ＡＳ（屈折率：１．７４）といった高屈折率を有するプラスチック材料がある。また、ＨＯＹＡ株式会社製の硝材ＮＢＦＤ１１（屈折率ｎ1：１．７８）、Ｍ−ＮＢＦＤ８２（屈折率ｎ1：１．８１）、Ｍ−ＬＡＦ８１（屈折率ｎ1＝１．７３１）といった光学ガラス；ＫＴｉＯＰＯ4（屈折率ｎ1：１．７８）、ニオブ酸リチウム［ＬｉＮｂＯ3］（屈折率ｎ1：２．２３）といった無機誘電体材料を挙げることができる。
【図面の簡単な説明】
【００８８】
【図１】図１は、実施例１のカラー液晶表示装置組立体の駆動方法を説明するための流れ図である。
【図２】図２は、図１に引き続き、実施例１のカラー液晶表示装置組立体の駆動方法を説明するための流れ図である。
【図３】図３は、図２に引き続き、実施例１のカラー液晶表示装置組立体の駆動方法を説明するための流れ図である。
【図４】図４の（Ａ）は、実施例１における発光制御信号の値とデューティ期間との関係を模式的に示す図であり、図４の（Ｂ）は、発光制御信号の値と表示輝度との関係を模式的に示す図である。
【図５】図５の（Ａ）は、実施例１の変形例における発光制御信号の値とデューティ期間との関係を模式的に示す図であり、図５の（Ｂ）は、発光制御信号の値と表示輝度との関係を模式的に示す図である。
【図６】図６の（Ａ）は、実施例２における発光制御信号の値とデューティ期間との関係を模式的に示す図であり、図６の（Ｂ）は、発光制御信号の値と表示輝度との関係を模式的に示す図である。
【図７】図７の（Ａ）は、実施例２の変形例における発光制御信号の値とデューティ期間との関係を模式的に示す図であり、図７の（Ｂ）は、発光制御信号の値と表示輝度との関係を模式的に示す図である。
【図８】図８の（Ａ）は、実施例３における発光制御信号の値とデューティ期間との関係を模式的に示す図であり、図８の（Ｂ）は、発光制御信号の値と表示輝度との関係を模式的に示す図である。
【図９】図９の（Ａ）は、実施例３の変形例における発光制御信号の値とデューティ期間との関係を模式的に示す図であり、図９の（Ｂ）は、発光制御信号の値と表示輝度との関係を模式的に示す図である。
【図１０】図１０は、各実施例における使用に適したカラー液晶表示装置、面状光源装置、及び、駆動回路から成るカラー液晶表示装置組立体の概念図である。
【図１１】図１１は、カラー液晶表示装置組立体の模式的な一部断面図である。
【図１２】図１２の（Ａ）は、各実施例の面状光源装置における発光ダイオード等の配置、配列状態を模式的に示す図であり、図１２の（Ｂ）は、各実施例の面状光源装置及びカラー液晶表示装置組立体の模式的な一部断面図である。
【図１３】図１３は、日経エレクトロニクス  ２００４年１２月２０日第８８９号の第１２８ページに開示された光取出しレンズの模式的な断面図である。
【図１４】図１４は、従来のカラー液晶表示装置組立体における発光制御信号レベルと画素の輝度である表示輝度との関係を模式的に示すグラフである。
【符号の説明】
【００８９】
１０・・・カラー液晶表示装置、１１・・・表示領域、１２，１２Ａ，１２Ｂ・・・表示領域ユニット、１３・・・液晶材料、２０・・・フロント・パネル、２１・・・第１の基板、２２・・・カラーフィルター、２３・・・オーバーコート層、２４・・・透明第１電極、２５・・・配向膜、２６・・・偏光フィルム、３０・・・リア・パネル、３１・・・第２の基板、３２・・・スイッチング素子、３４・・・透明第２電極、３５・・・配向膜、３６・・・偏光フィルム、３７・・・絶縁層、４０・・・面状光源装置、４１，４１Ｒ，４１Ｇ，４１Ｂ・・・発光ダイオード、４２，４２Ａ，４２Ｂ・・・面状光源ユニット、４３・・・仕切り板、５１・・・筐体、５２Ａ・・・筐体の底面、５２Ｂ・・・筐体の側面、５３・・・外側フレーム、５４・・・内側フレーム、５５Ａ，５５Ｂ・・・スペーサ、５６・・・ガイド部材、５７・・・ブラケット部材、６１・・・拡散板、６２・・・拡散シート、６３・・・プリズムシート、６４・・・偏光変換シート、６５・・・反射シート、７０・・・面状光源装置制御回路、７１・・・パルス幅変調（ＰＷＭ）信号発生回路、７２・・・デューティ比制御回路、７３・・・発光ダイオード駆動回路、７４・・・演算回路、７５・・・記憶装置（メモリ）、８０・・・液晶表示装置駆動回路、８１・・・タイミングコントローラ
【図１】
2007187974.tif 000004
【図２】
2007187974.tif 000005
【図３】
2007187974.tif 000006
【図４】
2007187974.tif 000007
【図５】
2007187974.tif 000008
【図６】
2007187974.tif 000009
【図７】
2007187974.tif 000010
【図８】
2007187974.tif 000011
【図９】
2007187974.tif 000012
【図１０】
2007187974.tif 000013
【図１１】
2007187974.tif 000014
【図１２】
2007187974.tif 000015
【図１３】
2007187974.tif 000016
【図１４】
2007187974.tif 000017